(57)【要約】  本発明は、楔式ロープ端末部品に、エレベーターなどで使用するロープの端部を固定する際、ロープの品質を確保すると共に、ロープが巻き掛けられた状態のウェッジを、ソケットの内部の適切な位置まで引き込むことができる楔式ロープ端末部品の据付治具を提供する。そして、本発明の楔式ロープ端末部品の据付治具は、ウェッジとソケットとを有するロープを固定する楔式ロープ端末部品に、ロープが巻き掛けられた状態のウェッジをソケットの内部に引き込む楔式ロープ端末部品の据付治具であって、ロープの無負荷側を保持するロープ保持部材と、ロープ保持部材を引っ張る引張部材と、ウェッジの位置を決定するウェッジ位置決め部材と、ソケットの位置を決定するソケット位置決め部材と、ソケットを保持するソケット保持部材と、有することを特徴とする。
2020240656.tif 000002
【特許請求の範囲】
【請求項１】
ウェッジとソケットとを有するロープを固定する楔式ロープ端末部品に、ロープが巻き掛けられた状態の前記ウェッジを前記ソケットの内部に引き込む楔式ロープ端末部品の据付治具であって、
前記ロープの無負荷側を保持するロープ保持部材と、前記ロープ保持部材を引っ張る引張部材と、前記ウェッジの位置を決定するウェッジ位置決め部材と、前記ソケットの位置を決定するソケット位置決め部材と、前記ソケットを保持するソケット保持部材と、有することを特徴とする楔式ロープ端末部品の据付治具。
【請求項２】
請求項１に記載の楔式ロープ端末部品の据付治具であって、
前記引張部材、前記ウェッジ位置決め部材、前記ソケット位置決め部材、前記ソケット保持部材を固定するベース部材を有することを特徴とする楔式ロープ端末部品の据付治具。
【請求項３】
請求項１に記載の楔式ロープ端末部品の据付治具であって、
前記ソケットの設置高さを調整するソケット設置高さ調整部材を有することを特徴とする楔式ロープ端末部品の据付治具。
【請求項４】
請求項１に記載の楔式ロープ端末部品の据付治具であって、
前記ソケットを拘束するソケット拘束部材を有することを特徴とする楔式ロープ端末部品の据付治具。
【請求項５】
請求項２に記載の楔式ロープ端末部品の据付治具であって、
前記ベース部材には、前記ウェッジを、前記ソケット内に引き込む際に、前記ウェッジ位置決め部材の取り付け位置の基準となる切欠きを有することを特徴とする楔式ロープ端末部品の据付治具。
【請求項６】
請求項１に記載の楔式ロープ端末部品の据付治具であって、
前記ソケット保持部材は、３方向から前記ソケットを保持することを特徴とする楔式ロープ端末部品の据付治具。
【請求項７】
請求項２に記載の楔式ロープ端末部品の据付治具であって、
前記ウェッジ位置決め部材は、前記ウェッジの先端部に接触する接触具と、前記接触具を前記ベース部材に固定する締付具と、前記締付具が貫通する長円孔と、を有することを特徴とする楔式ロープ端末部品の据付治具。
【請求項８】
ウェッジとソケットとを有するロープを固定する楔式ロープ端末部品に、ロープが巻き掛けられた状態の前記ウェッジを前記ソケットの内部に引き込む楔式ロープ端末部品の据付方法であって、
ロープ保持部材にて前記ロープの無負荷側を保持し、引張部材にて前記ロープ保持部材を引っ張り、ウェッジ位置決め部材にて前記ウェッジの位置を決定し、ソケット位置決め部材にて前記ソケットの位置を決定し、ソケット保持部材にて前記ソケットを保持することを特徴とする楔式ロープ端末部品の据付方法。
【発明の詳細な説明】
【技術分野】
【０００１】
本発明は、エレベーターなどで使用するロープの端部を楔式ロープ端末部品に固定するための楔式ロープ端末部品の据付治具及び据付方法に関する。
【背景技術】
【０００２】
本技術分野の背景技術として、特開２０１２−９６９０７号公報（特許文献１）がある。この特許文献１には、留め金具に主ロープを締結する挿入装置が記載されている。特許文献１に記載される挿入装置は、主ロープの負荷側及び端部側に固定される把持具と、把持具と開口を形成するソケットの一端部との間に配置される受け具と、把持具に設置される押圧具と、を備えている。そして、特許文献１には、受け具は、その中空部に主ロープの負荷側及び端部側の双方が貫通した状態で配置され、受け具のソケット側への変位はソケットの一端部に規制され、押圧具は、この受け具をソケットの一端部側に押圧することが記載されている（要約参照）。
【先行技術文献】
【特許文献】
【０００３】
【特許文献１】特開２０１２−９６９０７号公報
【発明の概要】
【発明が解決しようとする課題】
【０００４】
特許文献１には、楔式の留め金具（楔式ロープ端末部品）に、主ロープの端部を締結（固定）する際に、ロープが巻き付けられた状態のウェッジを、ソケットの内部の適切な位置までに引き込むことができる挿入装置（楔式ロープ端末部品の据付治具）が記載されている。【０００５】
しかし、特許文献１には、押圧具を締め込み、ソケットの内部にウェッジを引き込む際、把持具をガイドする部材については記載されていない。特許文献１に記載される挿入装置の場合、把持具をガイドする部材が無い場合には、受け具が、主ロープと直交する方向にずれる可能性があり、主ロープを局部的に傷付ける可能性がある。また、特許文献１に記載される挿入装置では、押圧具を締め込むと、受け具と把持具との間の寸法が大きくなり、押圧具と受け具とがずれ、最終的に押圧することができなくなる可能性がある。【０００６】
そこで、本発明は、楔式ロープ端末部品に、エレベーターなどで使用するロープの端部を固定する際、ロープの品質を確保すると共に、ロープが巻き掛けられた状態のウェッジを、ソケットの内部の適切な位置まで引き込むことができる楔式ロープ端末部品の据付治具及び据付方法を提供する。
【課題を解決するための手段】
【０００７】
上記課題を解決するため、本発明の楔式ロープ端末部品の据付治具は、ウェッジとソケットとを有するロープを固定する楔式ロープ端末部品に、ロープが巻き掛けられた状態のウェッジをソケットの内部に引き込む楔式ロープ端末部品の据付治具であって、ロープの無負荷側を保持するロープ保持部材と、ロープ保持部材を引っ張る引張部材と、ウェッジの位置を決定するウェッジ位置決め部材と、ソケットの位置を決定するソケット位置決め部材と、ソケットを保持するソケット保持部材と、有することを特徴とする。【０００８】
また、上記課題を解決するため、本発明の楔式ロープ端末部品の据付方法は、ウェッジとソケットとを有するロープを固定する楔式ロープ端末部品に、ロープが巻き掛けられた状態のウェッジをソケットの内部に引き込む楔式ロープ端末部品の据付方法であって、ロープ保持部材にてロープの無負荷側を保持し、引張部材にてロープ保持部材を引っ張り、ウェッジ位置決め部材にてウェッジの位置を決定し、ソケット位置決め部材にてソケットの位置を決定し、ソケット保持部材にてソケットを保持することを特徴とする。
【発明の効果】
【０００９】
本発明によれば、楔式ロープ端末部品に、エレベーターなどで使用するロープの端部を固定する際、ロープの品質を確保すると共に、ロープが巻き掛けられた状態のウェッジを、ソケットの内部の適切な位置まで引き込むことができる楔式ロープ端末部品の据付治具及び据付方法を提供することができる。【００１０】
なお、上記した以外の課題、構成及び効果は、下記する実施例の説明により明らかにされる。
【図面の簡単な説明】
【００１１】
【図１】高層建物に設置されるエレベーター装置を説明する説明図である。
【図２】ロープ径１２ｍｍ以下のロープが楔式ロープ端末部品に固定された状態を説明する説明図である。
【図３】ロープ径１６ｍｍ以上の主ロープが楔式ロープ端末部品に固定された状態を説明する説明図である。
【図４】ロープ径１６ｍｍ以上のコンペンロープが楔式ロープ端末部品に固定された状態を説明する説明図である。
【図５】本実施例に記載する楔式ロープ端末部品の据付治具の要部を説明する平面図である。
【図６】本実施例に記載する楔式ロープ端末部品の据付治具の要部を説明する側面図である。
【図７】本実施例に記載する楔式ロープ端末部品の据付治具の図５に示すＡ−Ａの矢印方向から見たＡ−Ａ矢視図である。
【図８】本実施例に記載する楔式ロープ端末部品の据付治具の図５に示すＢ−Ｂの矢印方向から見たＢ−Ｂ矢視図である。
【図９】本実施例に記載する楔式ロープ端末部品の据付治具と作業台とを組み合わせた状態を説明する斜視図である。
【図１０】本実施例に記載する楔式ロープ端末部品の解体時における楔式ロープ端末部品の据付治具の要部を説明する平面図である。
【発明を実施するための形態】
【００１２】
以下、本発明の実施例を、図面を使用して説明する。なお、実質的に同一又は類似の構成には同一の符号を付し、説明が重複する場合には、その説明を省略する場合がある。
【実施例１】
【００１３】
まず、高層建物に設置されるエレベーター装置を説明する。【００１４】
図１は、高層建物に設置されるエレベーター装置を説明する説明図である。【００１５】
本実施例に記載される高層建物に設置されるエレベーター装置は、乗りかご２、つり合いおもり３、主ロープ４、巻上機５、コンペンロープ６、コンペンプーリー７、を有する。そして、エレベーター装置は、乗りかご２とつり合いおもり３とが、巻上機５を介して、主ロープ４により連結され、また、乗りかご２とつり合いおもり３とが、コンペンプーリー７を介して、コンペンロープ６により連結され、昇降路１の内部を昇降する。【００１６】
そして、主ロープ４やコンペンロープ６は、乗りかご２やつり合いおもり３と連結される際には、楔式ロープ端末部品を使用して、その端部が固定される。【００１７】
次に、ロープ径１２ｍｍ以下のロープが楔式ロープ端末部品に固定された状態を説明する。【００１８】
図２は、ロープ径１２ｍｍ以下のロープが楔式ロープ端末部品に固定された状態を説明する説明図である。【００１９】
本実施例に記載する楔式ロープ端末部品８は、ウェッジ９やソケット１０を有する。ウェッジ９は、その外側面にＶ字状の傾斜が形成される。ソケット１０は、ウェッジ９を収納する収納部が設置され、その収納部を設置するため、その内側面の一部に、ウェッジ９のＶ字状の傾斜に合わせた楔受け面１０ａが形成される。【００２０】
ロープ径１２ｍｍ以下のロープの場合、こうした楔式ロープ端末部品８は、主ロープ４及びコンペンロープ６に使用される。【００２１】
主ロープ４及びコンペンロープ６の端部を楔式ロープ端末部品８に固定する場合には、以下の手順が実行される。【００２２】
（１）先ず、ロープの一端（主ロープ４の無負荷側４ｂ又はコンペンロープ６の無負荷側６ｂ）を、ソケット１０の先端部に形成される開口部１０ｂから、ソケット１０の収納部の内部に挿入し、開口部１０ｂの反対側に形成された開口部１０ｃ（開口部１０ｂよりも開口が大きい）から、ロープの一端を引き出す。【００２３】
（２）次に、開口部１０ｃから引き出したロープを、ウェッジ９の外周部分に巻き掛けて折り返し、その状態のまま、ウェッジ９を、その先端部９ａからソケット１０の収納部の内部に挿入する。【００２４】
（３）次に、開口部１０ｂからソケット１０の外部に延びた２本のロープ（主ロープ４の無負荷側４ｂと主ロープ４の負荷側４ａ又はコンペンロープ６の無負荷側６ｂとコンペンロープ６の負荷側６ａ）をソケット１０の反対方向（図２の上方向）に引っ張り、ウェッジ９をソケット１０の収納部の内部に設置する。【００２５】
次に、ロープ径１６ｍｍ以上の主ロープが楔式ロープ端末部品に固定された状態を説明する。【００２６】
図３は、ロープ径１６ｍｍ以上の主ロープが楔式ロープ端末部品に固定された状態を説明する説明図である。【００２７】
特に、主ロープ４の径が１６ｍｍ以上と太い場合には、主ロープ４をウェッジ９の外周部分に巻き掛ける作業や折り返す作業は人力でも可能であるが、ウェッジ９を主ロープ用ソケット１２内に引き込む作業は、人力のみでは不可能であった。このことから、特に、主ロープ４の径が１６ｍｍ以上と太い場合には、主ロープ４が巻き掛けられ折り返された状態のウェッジ９を、主ロープ用ソケット１２内の適切な位置まで引き込むことができる冶具（装置）が必要であった。【００２８】
次に、ロープ径１６ｍｍ以上のコンペンロープが楔式ロープ端末部品に固定された状態を説明する。【００２９】
図４は、ロープ径１６ｍｍ以上のコンペンロープが楔式ロープ端末部品に固定された状態を説明する説明図である。【００３０】
特に、コンペンロープ６の径が１６ｍｍ以上と太い場合には、コンペンロープ６をウェッジ９の外周部分に巻き掛ける作業や折り返す作業は人力でも可能であるが、ウェッジ９をコンペンロープ用ソケット１３内に引き込む作業は、人力のみでは不可能であった。このことから、特に、コンペンロープ６の径が１６ｍｍ以上と太い場合には、コンペンロープ６が巻き掛けられ折り返された状態のウェッジ９を、コンペンロープ用ソケット１３内の適切な位置まで引き込むことができる冶具（装置）が必要であった。【００３１】
次に、本実施例に記載する楔式ロープ端末部品の据付治具の要部を説明する。【００３２】
図５は、本実施例に記載する楔式ロープ端末部品の据付治具の要部を説明する平面図である。【００３３】
図６は、本実施例に記載する楔式ロープ端末部品の据付治具の要部を説明する側面図である。【００３４】
本実施例では、特に、ロープ径１６ｍｍ以上の主ロープ４を、ウェッジ９や主ロープ用ソケット１２を有する楔式ロープ端末部品８に固定する場合を説明する。【００３５】
本実施例に記載する楔式ロープ端末部品の据付治具１７は、主ロープ４の無負荷側４ｂを保持するロープ保持部材１８と、ロープ保持部材１８を引っ張る引張部材１９と、ウェッジ９の位置を決定するウェッジ位置決め部材２０と、主ロープ用ソケット１２の位置を決定するソケット位置決め部材２１と、主ロープ用ソケット１２を保持するソケット保持部材２２と、主ロープ用ソケット１２の設置高さを調整するソケット設置高さ調整部材２３と、ロープ保持部材１８、引張部材１９、ウェッジ位置決め部材２０、ソケット位置決め部材２１、ソケット保持部材２２、ソケット設置高さ調整部材２３を設置するベース部材２４と、を有する。【００３６】
引張部材１９は、ロープ保持部材１８に連結される。そして、引張部材１９は、一方がロープ保持部材１８に固定され、他方が引張部材１９のボルト１９ｂに設置されるＬ形金具１９ａと、ベース部材２４に固定され、引張部材１９のボルト１９ｂが貫通する孔が形成される固定金具１９ｃと、Ｌ形金具１９ａに設置され、固定金具１９ｃに形成される孔を貫通するボルト１９ｂと、を有する。【００３７】
また、引張部材１９は、固定金具１９ｃのＬ形金具１９ａ側に、ボルト１９ｂに嵌合するナット１９ｄを有する。なお、ナット１９ｄは固定金具１９ｃに溶接される。そして、ボルト１９ｂを回転させることにより、ナット１９ｄとの作用により、ボルト１９ｂを移動（図５中、右側から左側へ移動）させることができる。これにより、ロープ保持部材１８を引っ張ることができ、主ロープ４が巻き掛けられ折り返された状態のウェッジ９を、主ロープ用ソケット１２内の適切な位置まで引き込むことができる。【００３８】
ウェッジ位置決め部材２０は、ウェッジ９の先端部９ａに接触する接触具２０ｂと、この接触具２０ｂをベース部材２４に固定する締付具２０ａと、を有する。つまり、締付具２０ａを使用して、接触具２０ｂをベース部材２４に固定することができる。【００３９】
ウェッジ位置決め部材２０を設置することにより、引張部材１９を使用して、ウェッジ９を、主ロープ用ソケット１２内に引き込む際に、ウェッジ９の先端部９ａが、接触具２０ｂに押し当たり、ウェッジ９の引込み寸法を均一化することができる。【００４０】
なお、接触具２０ｂには、締付具２０ａが貫通する長円孔２０ｃが形成される。接触具２０ｂは、長円孔２０ｃを介して、締付具２０ａにより、ベール部材２４に固定される。これにより、ウェッジ位置決め部材２０は、長円孔２０ｃの長さ方向の距離に対応して、様々な位置にて、固定することができる。【００４１】
また、ベース部材２４には、引張部材１９、ウェッジ位置決め部材２０、ソケット保持部材２２、ソケット設置高さ調整部材２３が、ボルトにより、固定される。【００４２】
また、ベース部材２４には、切欠き２７が形成される。この切欠き２７は、ウェッジ９を、引張機材１９により、主ロープ用ソケット１２内に引き込む際に、ウェッジ位置決め部材２０の取り付け位置の基準となる。なお、本実施例では、切欠き２７により、２つの基準となる取り付け位置を設定することができる。この基準となる取り付け位置を設定する場合、切欠き２７に限定されるものではなく、ベース部材２４に、切削や記載により、基準となる取り付け位置をしるすこともできる。【００４３】
また、ソケット位置決め部材２１は、主ロープ用ソケット１２の位置を決定する部材であり、ベース部材２４に溶接される。そして、ソケット位置決め部材２１は、ウェッジ９を、引張機材１９により、主ロープ用ソケット１２内に引き込む際に、主ロープ用ソケット１２の、ロープ側（図５中、左側）への移動を、規制する部材である。【００４４】
また、ソケット設置高さ調整部材２３は、主ロープ用ソケット１２の設置高さを調整する部材である。これにより、主ロープ用ソケット１２を水平に維持し、主ロープ４を水平に維持することができる。【００４５】
次に、本実施例に記載する楔式ロープ端末部品の据付治具の図５に示すＡ−Ａの矢印方向から見た場合について説明する。【００４６】
図７は、本実施例に記載する楔式ロープ端末部品の据付治具の図５に示すＡ−Ａの矢印方向から見たＡ−Ａ矢視図である。【００４７】
ロープ保持部材１８は、主ロープ４の無負荷側４ｂを保持する部材であり、主ロープ４の無負荷側４ｂを保持する保持金具１８ａと、保持金具１８ａを固定する締付具１８ｂと、を有する。なお、本実施例では、締付具１８ｂはボルトとナットとを有する。【００４８】
ロープ保持部材１８は、主ロープ用ソケット１２の開口部１２ａ（図３参照）の近傍にて、主ロープ用ソケット１２の開口部１２ａから主ロープ用ソケット１２の外部に延びた主ロープ４の無負荷側４ｂに固定される。本実施例では、主ロープ４の無負荷側４ｂを保持する２枚の保持金具１８ａと、保持金具１８ａを上下で固定する２つの締付具１８ｂと、を有する。これにより、確実に、主ロープ４の無負荷側４ｂを固定することができる。【００４９】
次に、本実施例に記載する楔式ロープ端末部品の据付治具の図５に示すＢ−Ｂの矢印方向から見た場合について説明する。【００５０】
図８は、本実施例に記載する楔式ロープ端末部品の据付治具の図５に示すＢ−Ｂの矢印方向から見たＢ−Ｂ矢視図である。【００５１】
ソケット保持部材２２は、ウェッジ９を、引張機材１９により、主ロープ用ソケット１２内に引き込む際に、主ロープ用ソケット１２の位置ずれを防止し、サイズや形状が相違する主ロープ用ソケット１２に合わせ調整することができる。【００５２】
そして、ソケット保持部材２２は、３方向から主ロープ用ソケット１２を保持することができる３つの保持具２２ａを有する。これにより、主ロープ用ソケット１２の位置ずれが防止され、可動する３つの保持具２２ａを有することにより、サイズや形状が相違する主ロープ用ソケット１２に合わせ調整することができる。【００５３】
更に、ソケット保持部材２２は、ベース部材２４に締付具２２ｂにより固定される。なお、本実施例では、締付具２２ｂはボルトを使用する。【００５４】
そして、ソケット設置高さ調整部材２３により、主ロープ用ソケット１２の設置高さが調整される。これにより、主ロープ用ソケット１２を水平に維持し、主ロープ４を水平に維持することができる。【００５５】
また、本実施例に記載する楔式ロープ端末部品の据付治具１７を使用して、主ロープ４の端部を楔式ロープ端末部品８に据え付ける方法を、以下、説明する。【００５６】
（１）まず、主ロープ用ソケット１２を、ソケット設置高さ調整部材２３に設置し、ソケット位置決め部材２１に押し当て、可動する３方向の保持具２２ａを有するソケット保持部材２２により、主ロープ用ソケット１２を固定し、主ロープ用ソケット１２の位置ずれを防止する。【００５７】
（２）次に、主ロープ４の一端（主ロープ４の無負荷側４ｂ）を、主ロープ用ソケット１２の先端部に形成される開口部１２ａ（図３参照）から、主ロープ用ソケット１２の収納部の内部に挿入し、開口部１２ａの反対側に形成された開口部１２ｂ（開口部１２ａよりも開口が大きい）（図３参照）から、主ロープ４の無負荷側４ｂを引き出す。【００５８】
（３）次に、開口部１２ｂから引き出した主ロープ４の無負荷側４ｂを、ウェッジ９の外周部分に巻き掛けて折り返し、その状態のまま、ウェッジ９を、その先端部９ａから主ロープ用ソケット１２の収納部の内部に挿入する。【００５９】
（４）次に、開口部１２ａから主ロープ用ソケット１２の外部に延びた２本の主ロープ４の内、無負荷側ロープ４ｂを、ロープ保持部材１８を使用して固定する。つまり、２枚の保持金具１８aで挟み込み、上下で固定する２つの締付具１８ｂを使用して固定する。【００６０】
（５）次に、ロープ保持部材１８に連結される引張部材１９を使用して、主ロープ４の無負荷側４ｂを引っ張る。つまり、Ｌ型金具１９ａを介してロープ保持部材１８に連結されるボルト１９ｂを、スパナなど（図示なし）を使用して回転させ、主ロープ４の無負荷側４ｂを、ウェッジ９の先端部９ａがウェッジ位置決め部材２０に押し当たるまで、引き込む。【００６１】
これにより、主ロープ４を局部的に傷付けることがなく、安定した状態でウェッジ９を主ロープ用ソケット１２の収納部に適切に設置することができる。【００６２】
なお、本実施例では、特に、ロープ径１６ｍｍ以上の主ロープ４を、ウェッジ９や主ロープ用ソケット１２を有する楔式ロープ端末部品に固定する場合を説明したが、これに限定されるものではない。ロープ径１６ｍｍ以上のコンペンロープ６を、ウェッジ９やコンペンロープ用ソケット１３を有する楔式ロープ端末部品に固定する場合やロープ径１２ｍｍ以下の主ロープ４やコンペンロープ６をウェッジ９やソケット１０を有する楔式ロープ端末部品に固定する場合も、同様に、本実施例を使用することができる。【００６３】
このように、本実施例によれば、楔式ロープ端末部品８に、エレベーターなどで使用する主ロープ４の端部やコンペンロープ６の端部を固定する際、これらロープを局部的に傷付けることがなく、これらロープの品質を確保することができる。そして、これらロープが巻き掛けられた状態のウェッジ９を、ソケット（１０、１２、１３）の内部の適切な位置まで引き込むことができる楔式ロープ端末部品の据付治具１７を提供することができる。【００６４】
そして、特に、ロープ径１６ｍｍ以上の太い主ロープ４の端部やロープ径１６ｍｍ以上の太いコンペンロープ６の端部を固定する場合であっても、これらロープが巻き掛けられた状態のウェッジ９を、ソケット（１２、１３）の内部の適切な位置まで引き込むことができる。【００６５】
次に、本実施例に記載する楔式ロープ端末部品の据付治具と作業台とを組み合わせた状態を説明する。【００６６】
図９は、本実施例に記載する楔式ロープ端末部品の据付治具と作業台とを組み合わせた状態を説明する斜視図である。【００６７】
本実施例に記載する楔式ロープ端末部品の据付治具１７は、作業台２５に設置される。これにより、作業者の身体に掛ける負担を軽減することができる。なお、ベース部材２４と作業台２５とは、ボルト２８（図５参照）にて、本実施例では２箇所で固定される。
【実施例２】
【００６８】
次に、本実施例に記載する楔式ロープ端末部品の解体時における楔式ロープ端末部品の据付治具の要部を説明する。【００６９】
図１０は、本実施例に記載する楔式ロープ端末部品の解体時における楔式ロープ端末部品の据付治具の要部を説明する平面図である。【００７０】
本実施例では、特に、ロープ径１６ｍｍ以上の主ロープ４を、ウェッジ９や主ロープ用ソケット１２を有する楔式ロープ端末部品８から取り外す場合を説明する。【００７１】
楔式ロープ端末部品８から主ロープ４を取り外す場合には、主ロープ用ソケット１２を拘束し、ウェッジ９を移動（図１０中、左側から右側へ移動）させることが好ましい。【００７２】
そこで、本実施例では、まず、ソケット拘束部材２６にて、主ロープ用ソケット１２を拘束する。次に、引張部材１９のボルト１９ｂをウェッジ位置決め部材２０の接触具２０ｂに接触させるように、引張部材１９をベース部材２４に固定する。【００７３】
次に、ウェッジ位置決め部材２０の締付具２０ａを弛緩させる。これにより、ウェッジ位置決め部材２０の接触具２０ｂは、ウェッジ位置決め部材２０の長円孔２０ｃの長さ方向に移動することができる。【００７４】
次に、ウェッジ位置決め部材２０に接触する引張部材１９を使用して、ウェッジ位置決め部材２０を押し込む。つまり、ボルト１９ｂを、スパナなど（図示なし）を使用して回転させ、ウェッジ位置決め部材２０を移動させ、ウェッジ９の先端部９ａを押し込む。【００７５】
これにより、主ロープ用ソケット１２からウェッジ９を安全に取り外すことができる。【００７６】
なお、本実施例では、特に、ロープ径１６ｍｍ以上の主ロープ４を、ウェッジ９や主ロープ用ソケット１２を有する楔式ロープ端末部品から取り外す場合を説明したが、これに限定されるものではない。ロープ径１６ｍｍ以上のコンペンロープ６を、ウェッジ９やコンペンロープ用ソケット１３を有する楔式ロープ端末部品から取り外す場合やロープ径１２ｍｍ以下の主ロープ４やコンペンロープ６をウェッジ９やソケット１０を有する楔式ロープ端末部品から取り外す場合も、同様に、本実施例を使用することができる。【００７７】
なお、本発明は上記した実施例に限定されるものではなく、様々な変形例が含まれる。例えば、上記した実施例は本発明を分かりやすく説明するために、詳細かつ具体的に、説明したものであり、必ずしも説明した全ての構成要件を有するものに限定されない。また、ある実施例の構成要件の一部を、他の実施例の構成要件の一部に置き換えることが可能である。また、ある実施例の構成要件に他の実施例の構成要件を加えることも可能である。また、各実施例の構成要件の一部について、他の構成要件の一部を、追加、削除、置換をすることも可能である。
【符号の説明】
【００７８】
１…昇降路、２…乗りかご、３…つり合いおもり、４…主ロープ、４ａ…負荷側、４ｂ…無負荷側、５…巻上機、６…コンペンロープ、６ａ…負荷側、６ｂ…無負荷側、７…コンペンプーリー、８…楔式ロープ端末部品、９…ウェッジ、９ａ…先端部、１０…ソケット、１２…主ロープ用ソケット、１３…コンペンロープ用ソケット、１７…楔式ロープ端末部品の据付治具、１８…ロープ保持部材、１９…引張部材、２０…ウェッジ位置決め部材、２１…ソケット位置決め部材、２２…ソケット保持部材、２３…ソケット設置高さ調整部材、２４…ベース部材、２５…作業台、２６…ソケット拘束部材、２７…切欠き、２８…ボルト。
【図１】
2020240656.tif 000003
【図２】
2020240656.tif 000004
【図３】
2020240656.tif 000005
【図４】
2020240656.tif 000006
【図５】
2020240656.tif 000007
【図６】
2020240656.tif 000008
【図７】
2020240656.tif 000009
【図８】
2020240656.tif 000010
【図９】
2020240656.tif 000011
【図１０】
2020240656.tif 000012
【国際調査報告】
2020240656.tif 000013
2020240656.tif 000014
2020240656.tif 000015
2020240656.tif 000016